(57)【要約】【課題】製造工程を簡易化させるとともに、簡易な仕組みで、スピーカとキャビネットとの接触音を防止したスピーカ搭載型液晶表示装置を提供する。【解決手段】スピーカＳＰには、ガスケット２１が含まれ、スピーカ受け部１１には、ガスケット２１に接するリブ１２が含まれており、リブ１２にてガスケット２１に面する一面には、隆起片ＢＧが含まれている。【選択図】図１
2009033403.tif 000002
【特許請求の範囲】
【請求項１】
スピーカと、そのスピーカを保持するスピーカ受け部を備えるキャビネットと、を含むスピーカ搭載型液晶表示装置にあって、
上記スピーカには、ガスケットが含まれ、
上記スピーカ受け部には、上記ガスケットに接するリブが含まれており、
上記リブにてガスケットに面する一面には、隆起片が含まれているスピーカ搭載型液晶表示装置。
【請求項２】
上記隆起片は、上記ガスケットに対して、線接触可能な形状である請求項１に記載のスピーカ搭載型液晶表示装置。
【請求項３】
上記ガスケットが輪状であるとともに、上記リブも輪状であり、
上記リブにてガスケットに面する一面では、各々の上記隆起片は１本状の三角柱をつなげることで輪状になっているとともに、その隆起片の複数集まる隆起片群では、隆起片が同心円配置している請求項２に記載のスピーカ搭載型液晶表示装置。
【請求項４】
上記ガスケットが輪状であるとともに、上記リブも輪状であり、
上記リブにてガスケットに面する一面では、各々の上記隆起片は１本状の三角柱であり、その隆起片の複数集まる隆起片群では、隆起片が放射状配置している請求項２に記載のスピーカ搭載型液晶表示装置。
【請求項５】
上記ガスケットが輪状であるとともに、上記リブも輪状であり、
上記リブにてガスケットに面する一面では、上記隆起片は１本状の三角柱をつなげることで渦巻き状になっている請求項２に記載のスピーカ搭載型液晶表示装置。
【請求項６】
上記隆起片は、上記ガスケットに対して、点接触可能な形状である請求項１に記載のスピーカ搭載型液晶表示装置。
【請求項７】
上記隆起片は、突状であり、上記リブにてガスケットに面する一面で散在している請求項６に記載のスピーカ搭載型液晶表示装置。
【発明の詳細な説明】
【技術分野】
【０００１】
本発明は、スピーカを搭載する液晶表示装置（液晶テレビ等）に関するものである。
【背景技術】
【０００２】
スピーカを搭載する液晶テレビでは、放音により振動するスピーカと、液晶テレビのキャビネットとの接触音（異音）が問題となっている。この問題解決の一例としては、特許文献１に示されるような防振体を、スピーカとキャビネットとの間に介在させることが考えられる。
【０００３】
【特許文献１】特開２０００−１３８９８８号公報
【発明の開示】
【発明が解決しようとする課題】
【０００４】
しかしながら、このような防振体は、高価であるので、液晶テレビのコストアップにつながる。また、かかる防振体をキャビネットとスピーカとの間に介在させる工程は極めて煩わしい。
【０００５】
本発明は、上記の状況を鑑みてなされたものである。そして、本発明の目的は、製造工程を簡易化させるとともに、簡易な仕組みで、スピーカとキャビネットとの接触音を防止したスピーカ搭載型液晶表示装置を提供することにある。
【課題を解決するための手段】
【０００６】
本発明は、スピーカと、そのスピーカを保持するスピーカ受け部を備えるキャビネットと、を含むスピーカ搭載型液晶表示装置である。そして、このスピーカ搭載型液晶表示装置では、スピーカには、ガスケットが含まれ、スピーカ受け部には、ガスケットに接するリブが含まれており、リブにてガスケットに面する一面には、隆起片が含まれている。
【０００７】
そして、この隆起片は、ガスケットに対して、線接触可能な形状であると望ましい。例えば、三角柱状の隆起片が挙げられる。なお、このような隆起片全体の形状や、隆起片の配置も種々想定される。そのような一例を挙げると以下のようになる。
【０００８】
例えば、ガスケットが輪状である場合、リブも輪状であり、そのリブにてガスケットに面する一面に隆起片が配置している。
【０００９】
そして、各々の隆起片は１本状の三角柱をつなげることで輪状になっているとともに、その隆起片の複数集まる隆起片群では、隆起片が同心円配置していると望ましい。
【００１０】
ただし、同心円配置に限定されることはなく、例えば、各々の上記隆起片は１本状の三角柱であり、その隆起片の複数集まる隆起片群では、隆起片が放射状配置していてもかまわない。
【００１１】
また、さらなる別例としては、隆起片は１本状の三角柱をつなげることで渦巻き状になっていてもかまわない。
【００１２】
ところで、隆起片は三角柱状に限定されるものではない。例えば、隆起片は、ガスケットに対して、点接触可能な形状であると望ましい。一例としては、突状の隆起片が挙げられる。そして、このような突状の隆起片の配置としては、リブにてガスケットに面する一面で散在していると望ましい。
【発明の効果】
【００１３】
本発明によれば、隆起片がガスケットに刺さるようなり、隆起片を含むリブとガスケットとの間の固定度合いが高まる。そのため、スピーカが振動してとしても、リブとガスケット、ひいてはスピーカ受け部とスピーカとの間のズレが起きず、ズレに起因する異音が発生しない。
【００１４】
その上、リブとガスケットとの間の固定度合いが高いことから、スピーカが振動してとしても、ガスケットとリブとの接触および乖離の繰り返し現象も起きない。そのため、この現象に起因する異音も起きない。
【発明を実施するための最良の形態】
【００１５】
［実施の形態１］
実施の一形態について、図面に基づいて説明すれば、以下の通りである。なお、便宜上、部材符号、ハッチング等を省略する場合もあるが、かかる場合、他の図面を参照するものとする。また、図面によっては、断面図ではないが、便宜上、ハッチングを施す場合もある。
【００１６】
図１０の斜視図は、液晶テレビ（液晶表示装置）４９を示す。かかる液晶テレビ４９は、図１０に示すように、スピーカＳＰを含む。そして、このスピーカＳＰは、液晶テレビ４９におけるキャビネットＣＢの前面側（フロントキャビネットＦＣＢ）に取り付けられている。
【００１７】
詳説すると、フロントキャビネットＦＣＢの内側を示す図１１および図１２に示すように、スピーカＳＰは、スピーカ受け部１１に対して締結されている。（図１１はスピーカＳＰを搭載した状態を示し、図１２はフロントキャビネットＦＣＢのみを示す）。
【００１８】
なお、スピーカ受け部１１は、リブ１２を含んでおり、そのリブ１２は、図１３の斜視図に示されるスピーカＳＰの放音口Ｈの縁に設けられたガスケット２１（やがみとも称される）と同形状である。なぜなら、リブ１２とガスケット２１とは、互いに接することで、放音口Ｈからの音を所望方向以外に漏れないようにするからである。
【００１９】
ここで、リブ１２について図１〜図３を用いて詳説する。図１はリブ１２の部分斜視図であり、図２はリブ１２を正面側（図１２の矢印方向参照）からみた平面図である。また、図３は図２のＡ−Ａ’線矢視断面図である（ただし、便宜上、ガスケット２１も図示）。
【００２０】
図１〜図３に示すように、リブ１２にてガスケット２１に面する一面１２ａ（天面１２ａ；図１２参照）は、隆起片ＢＧが含まれている。この隆起片ＢＧは、ガスケット２１に対して、線接触可能な形状であると望ましい。例えば図１に示すように、三角柱状の隆起片ＢＧが挙げられる。このような形状であれば、柱方向に沿う一辺Ｌがガスケット２１に対向すれば、そのガスケット２１に対して、線接触するからである。
【００２１】
なお、隆起片ＢＧ全体の形状は、種々想定される。例えば図１３に示すように、ガスケット２１が輪状（わっか状）である場合、リブ１２も輪状となる。そこで、リブ１２にてガスケット２１に面する一面１２ａでは、図２に示すように、各々の隆起片ＢＧは１本状の三角柱をつなげることで輪状になっているとともに、その輪状の隆起片ＢＧが複数集まるとよい。特に、複数集まった隆起片ＢＧを隆起片群とすると、その隆起群内では、隆起片ＢＧが同心円配置しているとよい。
【００２２】
このようになっていると、図３に示すように、隆起片ＢＧがガスケット２１に刺さるようなり、両者間（隆起片ＢＧを含むリブ１２とガスケット２１との間）の固定度合いが高まる。その結果、スピーカＳＰが振動してとしても、両者間のズレは起きない（このズレに起因する異音も発生しない）。
【００２３】
特に、隆起片ＢＧがガスケット２１に刺さる方向に対して交差する方向（例えば、輪状のガスケット２１の輪の面内方向Ｖ）では、スピーカＳＰが振動してとしても、隆起片ＢＧの刺さったガスケット２１の内部が、隆起片ＢＧの側面に接触することになる。そのため、この方向での両者間のズレは、一層起きない。
【００２４】
その上、この液晶テレビ４９では、スピーカＳＰの振動に起因して振動するガスケット２１は、リブ１２に接触したままになる。そのため、ガスケット２１の振動に起因して、そのガスケット２１とリブ１２との接触および乖離の繰り返し現象は起きない。すると、この現象に起因する異音も起きない。
【００２５】
また、このような液晶テレビ４９は、ガスケット２１を高価で軟質なクッションにしなくてもよい。なぜなら、比較的安価で硬質な紙のガスケット２１であっても、スピーカ受け部１１におけるリブ１２の隆起片ＢＧがあれば、リブ１２とガスケット２１、ひいてはスピーカ受け部１１とスピーカＳＰとの間のズレが起きないためである。
【００２６】
また、このような液晶テレビ４９は、スピーカＳＰとフロントキャビネットＦＣＢとの間に、防振体を介在させなくてもよい。そのため、フロントキャビネットＦＣＢに対するスピーカＳＰの取り付けが容易になる。その上、防振体が不要な分、液晶テレビ４９のコストダウンも図れる。
【００２７】
なお、隆起片ＢＧ全体の形状としては、図４〜図６のような例も挙げられる（なお、図４・図５は図１・図２と同様の表現であり、図６は図５のＢ−Ｂ’線矢視断面図である）。すなわち、各々の隆起片ＢＧは１本状の三角柱であり、その隆起片ＢＧの複数集まる隆起片群内では、隆起片ＢＧが放射状配置していてもよい。
【００２８】
また、図示しないが、隆起片ＢＧが１本状の三角柱をつなげることで渦巻き状になっていてもよい。
【００２９】
ところで、隆起片ＢＧ自体も、以上のような線接触可能な三角柱状に限定されるものではない。例えば、図７〜図９に示すように、隆起片ＢＧは、ガスケット２１に対して、点接触可能な突状であってもよい（なお、図７・図８は図１・図２と同様の表現であり、図９は図８のＣ−Ｃ’線矢視断面図である）。
【００３０】
そして、このような突状の隆起片ＢＧであれば、図７および図８に示すように、ガスケット２１に接するリブ１２の一面１２ａにて散在している。要は、スピーカ搭載型の液晶テレビ４９にあって、スピーカＳＰには、ガスケット２１が含まれ、スピーカ受け部１１には、ガスケット２１に接するリブ１２が含まれており、そのリブ１２にてガスケット２１に面する一面１２ａには、例えば、線接触または点接触可能な隆起片ＢＧが含まれていればよい。
【００３１】
［その他の実施の形態］
なお、本発明は上記の実施の形態に限定されず、本発明の趣旨を逸脱しない範囲で、種々の変更が可能である。
【００３２】
例えば、隆起片ＢＧは、三角柱状や突起状以外の形状であってもよい。要は、リブ１２に面するガスケット２１の一面に、刺さるような形状であればよい。したがって、錐状（円錐状、多角錐状等）や錘台状（円錐台状、多角錐台状）の隆起片ＢＧであってもよい。
【００３３】
また、以上のような隆起片ＢＧを含むリブ１２の加工としては、シボ加工のようなものが挙げられる。
【図面の簡単な説明】
【００３４】
【図１】は、キャビネットにおけるスピーカ受け部のリブの一部分を示す部分斜視図である。
【図２】は、図１のリブの正面図である。
【図３】は、図２のＡ−Ａ’線矢視断面図である。
【図４】は、図１とは異なるスピーカ受け部のリブの一部分を示す部分斜視図である。
【図５】は、図４のリブの正面図である。
【図６】は、図５のＢ−Ｂ’線矢視断面図である。
【図７】は、図１・図４とは異なるスピーカ受け部のリブの一部分を示す部分斜視図である。
【図８】は、図７のリブの正面図である。
【図９】は、図８のＣ−Ｃ’線矢視断面図である。
【図１０】は、液晶テレビの斜視図である。
【図１１】は、液晶テレビにおけるフロントキャビネットと、それに搭載されるスピーカを示す斜視図である。
【図１２】は、液晶テレビにおけるフロントキャビネットの背面を示す斜視図である。
【図１３】は、スピーカの斜視図である。
【符号の説明】
【００３５】
ＣＢ    液晶テレビのキャビネット
ＦＣＢ  フロントキャビネット
ＲＣＢ  リアキャビネット
１１    スピーカ受け部
１２    リブ
１２ａ  ガスケットに面するリブの一面（天面）
ＢＧ    隆起片
ＳＰ    スピーカ
２１    ガスケット
４９    液晶テレビ（液晶表示装置）
【図１】
2009033403.tif 000003
【図２】
2009033403.tif 000004
【図３】
2009033403.tif 000005
【図４】
2009033403.tif 000006
【図５】
2009033403.tif 000007
【図６】
2009033403.tif 000008
【図７】
2009033403.tif 000009
【図８】
2009033403.tif 000010
【図９】
2009033403.tif 000011
【図１０】
2009033403.tif 000012
【図１１】
2009033403.tif 000013
【図１２】
2009033403.tif 000014
【図１３】
2009033403.tif 000015